(57)【要約】【課題】簡単な構造でありながら任意の位置にナットを安定的に設置でき、しかも長期間緩みが生じにくい締結部材を提供する。【解決手段】締結部材１は、正多角形柱状の側面を有する第１ナット２および第２ナット３と、正多角形状の側壁を有し第１ナット２および第２ナット３を収納するケーシング部材４とを有し、第１ナット２および第２ナット３は軸心を合わせてかつ相互にねじの位相をずらしてケーシング部材４に収納されていて、ケーシング部材４には第１ナット２の水平面に軸方向の力を加える弾性部７と第２ナット３の軸方向の運動を規制する規制部８が形成されている。【選択図】図１
2018031440.tif 000002
【特許請求の範囲】
【請求項１】
正多角形柱状の側面を有する第１ナットおよび第２ナットと、正多角形状の側壁を有し第１ナットおよび第２ナットを収納するケーシング部材とを有し、第１ナットおよび第２ナットは軸心を合わせてかつ相互にねじの位相をずらしてケーシング部材に収納されていて、ケーシング部材には第１ナットの水平面に軸方向の力を加える弾性部と第２ナットの軸方向の運動を規制する規制部が形成されている締結部材。
【請求項２】
六角形柱状の側面を有する第１ナットおよび第２ナットと、六角形状の側壁を有し第１ナットおよび第２ナットを収納するケーシング部材と、第２ナットの一端部に固定されたフランジ部を有し、第１ナットおよび第２ナットは軸心を合わせてかつ相互にねじの位相をずらしてケーシング部材に収納されていて、ケーシング部材には第１ナットの水平面に軸方向の力を加える弾性部と第２ナットの軸方向の運動を規制する規制部が形成されている締結部材。
【請求項３】
第１ナットと第２ナットのねじの位相のずれが全周角の１／３以上２／３以下である請求項１または請求項２に記載の締結部材。
【発明の詳細な説明】
【技術分野】
【０００１】
この発明は、おねじであるボルトに取り付けて、締結後に緩みが生じにくい締結部材に関する。
【背景技術】
【０００２】
ボルトとナットの組み合わせによる締結は簡便な締結手段であり、従来より機械、建設など様々な分野で使用されている。しかし、締結後において振動などによってナットの意図しない回転が生じて締結が緩むことが多く生じる。そのため、長期間使用する施設等においては定期的な点検・保守作業が必要となるが、これには多大な労力がかかる。
【０００３】
さらに、ナットをボルトの中間位置に設置したい場合は、特に緩みが問題になる。板状の部材にの穴にボルトを通し、ナットをその板状部材に接する位置で締め付ける場合には、ばね座金を使用することにより板上部材表面とナットの間に弾性力を反力として生じさせて、それによりナットの緩みを防止することはできる。しかし、ボルト以外の固定物に接しないような状態の場合にはナットとボルトの間の摩擦力を高めるような反力を得ることはできず、ナットの緩みを防止する有効な手段はない。
【０００４】
特許文献１には、ダブルナット構造によって、ボルト・ナットの緩み止めを図ることが記載されている。
【先行技術文献】
【特許文献】
【０００５】
【特許文献１】特開２００９−２７５７２７号公開特許公報
【発明の概要】
【発明が解決しようとする課題】
【０００６】
従来の締結部材では、ボルトの中間位置にナットを安定的に設置することができなかった。特許文献１の緩み止めロック装置は、上ナットの突き当て凸部ならびに締結ボルトの突き当て段差部の先端外周角部を下ナットのテーパ透孔受部に当接させて先端部より徐々に且つ、均等に全周囲に渉って締め付ける楔構造と、上ナットと下ナットの逆締めによるダブルナット構造と、テーパ透孔受部の溝に上ナットならびに締結ボルトの突き当て凸部の先端外周角部を食い込ませる食い込み構造とを用いるという複雑なものである。しかも、使用されるのは同文献の各図に示すように固定物に対してナットを締め付けるような結合形態のみであり、ボルトの中間部に取り付けることについては記載も示唆もない。
【０００７】
この発明は、簡単な構造でありながら任意の位置にナットを安定的に設置でき、しかも長期間緩みが生じにくい締結部材を提供することを目的とする。
【課題を解決するための手段】
【０００８】
上記の課題を解決するために、この発明の締結部材は、正多角形柱状の側面を有する第１ナットおよび第２ナットと、正多角形状の側壁を有し第１ナットおよび第２ナットを収納するケーシング部材とを有し、第１ナットおよび第２ナットは軸心を合わせてかつ相互にねじの位相をずらしてケーシング部材に収納されていて、ケーシング部材には第１ナットの水平面に軸方向の力を加える弾性部と第２ナットの軸方向の運動を規制する規制部が形成されている。また、第１ナットおよび第２ナットを六角ナットとし、ケーシング部材も六角柱状にしてもよい。第１ナットと第２ナットのねじの位相のずれが全周角の１／３以上２／３以下であることが好ましい。
【発明の効果】
【０００９】
この発明の締結部材はボルトに取り付けたときに、ボルト上のどの位置にあっても内部のナットをボルトに対して強い力で押し付けるので、ボルトに対するナットの相対的な回転が生じることを防止する。２つのナットに対して相互に逆方向に押し付け力が作用しているので、振動などによる外力が生じたとき、それぞれのナットの回転しようとする向きは逆であるので、回転しようとする作用が相殺され、回転が防止される。簡単な構造であり、しかも取り付けや取り外しには特別な工具は必要としない。
【図面の簡単な説明】
【００１０】
【図１】締結部材を示す断面図である。
【図２】ケーシング部材を示す斜視図である。
【図３】第１ナットを示す斜視図である。
【図４】第２ナットを示す斜視図である。
【図５】締結部材の作用を示す断面図である。
【図６】第２ナットの第２の例を示す斜視図である。
【図７】締結部材の第２の例を示す斜視図である。
【図８】締結部材の使用例を示す斜視図である。
【発明を実施するための形態】
【００１１】
本発明を実施するための形態について、図面に基づいて詳細に説明する。図１は締結部材を示す断面図である。本発明の締結部材１は、正多角形柱状の側面を有する第１ナット２および第２ナット３と、正多角形状の側壁を有し第１ナット２および第２ナット３を収納するケーシング部材４とを有する。図２はケーシング部材を示す斜視図、図３は第１ナットを示す斜視図、図４は第２ナットを示す斜視図である。
【００１２】
第１ナット２および第２ナット３は概ね正多角形柱状の外形であり、例えば正方形などでもよいが、本例では普及しているナットと同様に正六角形柱状になっている。正六角形にすることにより、従来の製造設備を流用でき、また、締結のための工具として通常のスパナ類などがそのまま使用できる。第１ナット２は通常の六角ナットを使用している。第２ナット３も通常の六角ナットでもよいが、本例では側面に凹部５を設けている。この凹部５は、対抗する２面だけに設けてもよいが、ここでは６つの側面のすべてに設けている。また、第１ナット２および第２ナット３にはボルトの挿入口となる側（図１において下側）においてねじ部にテーパー６が形成され、下面に向かって徐々に広がった開口形状が形成されている。
【００１３】
ケーシング部材４も正多角形柱状の側壁を有するが、第１ナット２および第２ナット３の測面形状に対応している。本例では正六角柱の筒状であり、内壁面は第１ナット２および第２ナット３の側面とほぼ同じ大きさか、それよりも若干大きくなっているが、第１ナット２および第２ナット３を内部に収納したとき、中の第１ナット２や第２ナット３の回転をほどんと許さない程度になっている。
【００１４】
ケーシング部材４には第１ナット２の水平面に軸方向の力を加える弾性部７が設けられている。本例ではケーシング部材４の一端部を内側に折り込んだ後に焼き入れ加工をすることによって、板ばねとして作用するようにして弾性部７を形成している。第１ナット２により押し上げようとした力が作用した時、その力に応じて変形して第１ナット２の移動をある程度は許すようになっており、その変形量（第１ナットの移動量）に応じて第１ナット２を押し戻そうとする弾性力が生じるようになっている。この弾性部７のバネとしての強さは、締結時の緩み防止の程度に合わせて設定され、たとえば折り曲げ部の素材や厚さ、折り曲げ角度、あるいは焼き入れ温度などによって調整するができる。
【００１５】
ケーシング部材４には、第２ナット３の軸方向の運動を規制する規制部も形成されている。たとえば、ケーシング部材４の中に第１ナット２と第２ナット３を収納した後に、ケーシング部材４の反対側の端部（図１における下側）を内側に折り曲げて形成することができる。その場合には第２ナットも通常の六角ナットを使用できるが、十分な規制力を得るためにはその折り曲げ部に再度焼き入れをすることが好ましい。本例では、第２ナット３の凹部５に係合する突起部８を規制部としてケーシング部材４に設けている。ケーシング部材４の測壁において長さ方向に垂直な２本の切込み９を平行に入れ、切込み９の間の部分を内側にプレスすることによって突起部８を形成している。２本の切込み９の間隔を第２ナット３の凹部５の幅に合わせて選択することによって、凹部５にほぼ度入り込むように作ることができる。
【００１６】
ケーシング部材４の下側の開口より第１ナット２と第２ナット３を順次挿入していくことにより、図１に示す締結部材１が得られる。このとき、第１ナット２と第２ナット３はそれぞれボルトの出口側、すなわち、ねじ部にテーパーが形成されていない側から投入していく。そして、第２ナット３を入れるとき、第１ナット２のねじの位相を第２ナット３に対してずらす必要がある。
【００１７】
ここで、第１ナット２と第２ナット３のねじの位相について詳しく説明する。第１ナット２と第２ナット３の間に隙間がない状態で第２ナット３の入口側からボルトを挿入し、第２ナット３を通過した後に第１ナット２の入口側にボルトの先端が到達したときにボルトが第１ナット２のネジ部にそのままかみ合うような場合、位相のずれがないとする。ケーシング部材４の中にセットするためには第２ナット３の角度は正多角形の角数に合わせた間欠的な角度の変化、たとえば正六角形の場合は６０°ずつの角度変化しか選択できないが、その６０°ずつの角度のうち、最も位相のずれの小さい入れ方を避けるようにする。
【００１８】
図５は締結部材の作用を示す断面図である。第１ナット２および第２ナット３は軸心を合わせてかつ相互にねじの位相をずらしてケーシング部材４に収納されている。たとえば１８０°だけ第２ナット３のネジの位相が第１ナット２に対して遅れるような向きにしてケーシング４に収納するとする。この場合、第２ナット３を通過したボルトの先端が第１ナット２の入口側のネジ部に到達したとき、そのままボルトは第１ナット２のネジ部に進入することはできない。さらにボルトを回転させ続けるとボルトの先端が第１ナット２を押し上げていく。第１ナット２はケーシング部材４の弾性部７を変形させながら軸方向に進行し、第１ナット２と第２ナット３の間に隙間ができてくる。そして、第１ナット２と第２ナット３の間にねじのピッチ長Ｐの１／２に相当する隙間ができたときにボルトが第１ナット２のネジ部に係合するようになる。その後、ボルトの先端は第１ナット２のネジ部を通り、ケーシング部材４をも通過する。
【００１９】
しかし、第１ナット２と第２ナット３の間にはピッチ長Ｐの１／２の隙間が維持され、これによって生じた弾性部７の変形により第１ナット２と第２ナット３を相互に近づけようとする方向の力が加わる。したがって、第１ナット２のネジ部はボルトのおねじ部に対して下方向に押し付けられ、第２ナット３のネジ部はボルトのおねじ部に対して上方向に押し付けらる。これより、ボルトに対する相対的な回転を妨げるような摩擦力が第１ナット２と第２ナット３の双方に発生する。この摩擦力は締結部材１がボルト上のどの位置にあっても同じように生じる。したがって、他の固定物とは接触していないようなボルトの途中位置にあっても、締結部材１の回転は防止される。振動によりナットを回転させようとする力が働いても、この摩擦力によって回転を防止する。この摩擦抵抗を超えるような回転力が加わる場合でも、２つのナットにはボルトに対して相互に逆方向に押し付け力が作用しているので、２つのナットは相互に逆方向に回転しようする。図５の例では第１ナット２には下向きの押し付け力が加わっており、これに対応した第１の方向に回転しようとする。一方、第２ナット３には同じ大きさの力が上向きに加わっているので第１の方向とは逆である第２の方向に回転しようとする。そして、第２ナット３と第３ナット３はケーシング部材内に収納されているので一体として同一方向にしか回転できないので、相互の回転力が相殺されて締結部材１は回転しない。設置後に振動などの外力が加わっても緩みが生じにくい。この摩擦力は意図しない自然な緩みを防止するには十分であるが、それを超えた過剰なものではない。スパナなど通常の工具を使って回転させようとすれば、さほど大きな力を加えなくても簡単に回転させることができるので、必要な時には問題なく締結部材１を取り外したり、締結位置を変えることができる。
【００２０】
以上、第１ナット２と第２ナット３のねじの位相のずれが全周角の１／２、すなわち１８０°の場合で説明した。位相のずれを変えることによって締結時に生じる第１ナット２と第２ナット３の隙間の大きさも変わり、回転を妨げようとする摩擦力も変化する。第１ナットと第２ナットのねじの位相のずれを全周角の１／３以上２／３以下、すなわち１２０°以上２４０°以下とするのが、十分な摩擦力を得て、しかもボルトのかみ込が生じにくくなるので好ましい。その中でも、全周角の１／２が特に好ましい。
【００２１】
つぎに、締結部材の別の実施例について説明する。図６は第２ナットの第２の例を示す斜視図、図７は締結部材の第２の例を示す斜視部である。本例においては、第２ナット３の入口側（図６において下側）の端部にはフランジ部１０が設けられている。このフランジ部１０はナット本体と一体に形成されてもよいが、ここでは平座金のような環状の部材を溶接によって固定している。
【００２２】
このフランジ部１０はボルトを取り付ける対象物ｙの表面にとりつけるのに利用することができる。図８は本例の締結部材の使用例を示す断面図である。対象物に対してボルト通し孔１１を設けておき、その孔に締結部材１のネジ孔を合わせ、フランジ部１０を溶接によって対象物ｙに固定することができる。フランジ部１０に接するだけの平面があれば対象物ｙは任意に選択できる。
【００２３】
対象物ｙのボルト通し孔１１からボルトｘを挿入し、締結部材１にねじ込むことによって、ボルトを取り付けることができる。ボルトｘの頭が対象物に当たるまで締め込む必要はない。ボルトが対象物の表面から突き出した状態で設置してもよい。そのような状態でも、ケーシング部材４の中の第１ナット２と第２ナット３はボルトに対して十分な摩擦力を作用することができ、設置後に自然に緩むことはない。ボルトと対象物の表面の間には、さまざまなものを取り付けることができる。たとえば、ボルトｘの頭に広い平座金１２を入れ、対象物ｙである鋼板の表面と平座金１２の間にスポンジ１３のような柔らかな部材をそのふくらみを保った状態で取り付けることができる。また、可動性の部材を締め付けることなく取り付けることもできる。
【符号の説明】
【００２４】
１．締結部材
２．第１ナット
３．第２ナット
４．ケーシング部材
５．凹部
７．弾性部
８．規制部
１０．フランジ部
ｘ．ボルト
ｙ．取り付け対象物
【図１】
2018031440.tif 000003
【図２】
2018031440.tif 000004
【図３】
2018031440.tif 000005
【図４】
2018031440.tif 000006
【図５】
2018031440.tif 000007
【図６】
2018031440.tif 000008
【図７】
2018031440.tif 000009
【図８】
2018031440.tif 000010
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
六角形柱状の側面を有する第１ナットおよび第２ナットと、六角形状の側壁を有し第１ナットおよび第２ナットを収納するケーシング部材と、第２ナットの一端部に固定されたフランジ部を有し、第１ナットおよび第２ナットは軸心を合わせてかつ相互にねじの位相をずらしてケーシング部材に収納されていて、ケーシング部材には第１ナットの水平面に軸方向の力を加える弾性部と第２ナットの軸方向の運動を規制する規制部が形成されている締結部材。